(57)【要約】      （修正有）【課題】葡萄の樹液の採取方法と保存方法を提供する。【解決手段】つぎの順に葡萄の樹液を抽出する。一本の枝に１〜３房だけ果実を付けるようにして育成した葡萄の枝を選択する。選択した枝で熟した果実を収穫した後、落葉する時期に至るまで根と葉から養分を吸収させてから、落葉後に、その枝を次年の芽吹きのために必要な部分を残して剪定する。前記の剪定をして切り落とした葡萄の枝を洗浄する。洗浄後の枝の表皮を剥ぐ。表皮を剥いだ枝を切断して５センチメートルかそれ以下の長さの枝片にする。前記の枝片を水またはアルコールに浸けて、切断端から樹液を抽出する。【選択図】なし【特許請求の範囲】
【請求項１】
以下の（ａ）〜（ｅ）の手順を含む葡萄の樹液の抽出方法。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を切断して５センチメートルかそれ以下の長さの枝片にする。
（ｆ）上記の枝片を水またはアルコールに浸けて、切断端から樹液を抽出する。
【請求項２】
請求項１に記載の（ａ）〜（ｃ）の手順を実行し、こらの手順を経た洗浄後の枝を冷暗所に保存し、樹液の出荷予定に合わせて保存場所から上記の枝を取り出し、その後請求項１に記載の（ｄ）以下の手順を実行することを特徴とする葡萄の樹液の抽出方法。
【請求項３】
請求項１に記載の（ａ）〜（ｅ）の手順を実行し、枝片を蒸気で蒸して、その後請求項１に記載の（ｆ）の手順を実行することを特徴とする葡萄の樹液の抽出方法。
【請求項４】
請求項１に記載の（ｆ）の手順で、枝片を容器に水とともに収容して加熱することを特徴とする葡萄の樹液の抽出方法。
【請求項５】
枝片を収容した容器を加熱後冷却する前に容器に蓋をして密封して保存することを特徴とする請求項４に記載の葡萄の樹液の保存方法。
【請求項６】
請求項１の（ａ）〜（ｅ）の手順を実行した後に、枝片をアルコールで消毒し、その後アルコールを除去してから（ｆ）の手順を実行することを特徴とする葡萄の樹液の抽出方法。
【請求項７】
請求項１の（ａ）〜（ｅ）の手順を実行した後に、枝片を粉砕してから（ｆ）の手順を実行することを特徴とする葡萄の樹液の抽出方法。
【請求項８】
請求項１に記載の方法により水に着けた状態の枝片を前記水とともに熱処理して殺菌したものであって、前記枝片の切断端から気泡を含む樹液が染みだしたものを容器に収容して密閉した樹液入り容器。
【請求項９】
以下の（ａ）〜（ｅ）の手順を含む葡萄の樹液の抽出方法。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を細片化する。
（ｆ）上記の細片化した枝を水またはアルコールに浸ける。
（ｇ）水またはアルコールに溶け出した樹液と上記の細片化した枝を分離する。
【請求項１０】
以下の手順で製造した樹液混合物。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を細片化する。
（ｆ）上記の細片化した枝と水を混合する。
【発明の詳細な説明】
【技術分野】
【０００１】
本発明は、葡萄の木の枝から、様々な用途に利用される樹液を効率よく抽出して保存する葡萄の樹液採取方法と葡萄の樹液保存方法と樹液入り容器と樹液混合物に関する。
【背景技術】
【０００２】
（特許文献１）には、葡萄の枝からコラーゲンを含む樹液を抽出する技術が紹介されている。春先に、樹液抽出のために新たに剪定を行って、その枝の先に袋を吊り下げて、根から吸い上げて枝先から流れ出る樹液を集めるようにしている。また、（特許文献２）には、穀類、芋類、その他の植物質材料から有効成分を抽出する技術を紹介している。その中に、木の枝をチップにしてそのチップを容器に入れ、焼酎等に浸けるといった方法が記載されている。
【先行技術文献】
【特許文献】
【０００３】
【特許文献１】特開２００９−０１１３００号公報
【特許文献２】特開２００６−３１１８４２号公報
【発明の概要】
【発明が解決しようとする課題】
【０００４】
既知の従来の技術には、次のような解決すべき課題があった。
特許文献１に記載されているように、有効な成分が豊富に含まれるブドウの樹液を採取できるのは、春先の一定期間に限定される。しかしながら、この採取方法には、次のような問題がある。即ち、樹液を採取した後にその枝を成長させて葡萄の果実を実らせて収穫をする。しかしながら、葡萄の成長に重要な時期に樹液を採取してしまうと、葡萄の果実の成長や品質に少なからず悪影響を与える。しかも、樹液を採取できる時期が著しく限定され、需要者が年間を通して鮮度の高い樹液を入手することができない。
上記の課題を解決するために、本発明は次のような葡萄の樹液採取方法と葡萄の樹液保存方法と樹液入り容器と樹液混合物を提供することを目的とする。
（１）葡萄の樹液の採取時期を葡萄の実の採取後とし、葡萄の実の品質を優先する。
（２）葡萄の樹液を、従来剪定して廃棄されていた枝から取得して、廃棄物を減少させる。
（３）樹液を抽出するための枝を保存して、鮮度の良い樹液の採取を可能にする。
【課題を解決するための手段】
【０００５】
以下の構成はそれぞれ上記の課題を解決するための手段である。
【０００６】
＜構成１＞
以下の（ａ）〜（ｅ）の手順を含む葡萄の樹液の抽出方法。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を切断して５センチメートルかそれ以下の長さの枝片にする。
（ｆ）上記の枝片を水またはアルコールに浸けて、切断端から樹液を抽出する。
【０００７】
＜構成２＞
構成１に記載の（ａ）〜（ｃ）の手順を実行し、こらの手順を経た洗浄後の枝を冷暗所に保存し、樹液の出荷予定に合わせて保存場所から上記の枝を取り出し、その後構成１に記載の（ｄ）以下の手順を実行することを特徴とする葡萄の樹液の抽出方法。
【０００８】
＜構成３＞
構成１に記載の（ａ）〜（ｅ）の手順を実行し、枝片を蒸気で蒸して、その後構成１に記載の（ｆ）の手順を実行することを特徴とする葡萄の樹液の抽出方法。
【０００９】
＜構成４＞
構成１に記載の（ｆ）の手順で、枝片を容器に水とともに収容して加熱することを特徴とする葡萄の樹液の抽出方法。
【００１０】
＜構成５＞
枝片を収容した容器を加熱後冷却する前に容器に蓋をして密封して保存することを特徴とする構成４に記載の葡萄の樹液の保存方法。
【００１１】
＜構成６＞
構成１の（ａ）〜（ｅ）の手順を実行した後に、枝片をアルコールで消毒し、その後アルコールを除去してから（ｆ）の手順を実行することを特徴とする葡萄の樹液の抽出方法。
【００１２】
＜構成７＞
構成１の（ａ）〜（ｅ）の手順を実行した後に、枝片を粉砕してから（ｆ）の手順を実行することを特徴とする葡萄の樹液の抽出方法。
【００１３】
＜構成８＞
構成１に記載の方法により水に着けた状態の枝片を前記水とともに熱処理して殺菌したものであって、前記枝片の切断端から気泡を含む樹液が染みだしたものを容器に収容して密閉した樹液入り容器。
【００１４】
＜構成９＞
以下の（ａ）〜（ｅ）の手順を含む葡萄の樹液の抽出方法。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を細片化する。
（ｆ）上記の細片化した枝を水またはアルコールに浸ける。
（ｇ）水またはアルコールに溶け出した樹液と上記の細片化した枝を分離する。
【００１５】
＜構成１０＞
以下の手順で製造した樹液混合物。
（ａ）一本の枝に一房以上３房以下の果実を付けるようにして育成した葡萄の枝を選択する。
（ｂ）選択した枝で熟した果実を収穫した後、落葉する時期に至るまで根と葉から養分を吸収させてから、落葉後にその枝を次年の芽吹きのために必要な部分を残して剪定する。
（ｃ）上記の剪定をして切り落とした葡萄の枝を洗浄する。
（ｄ）洗浄後の枝の表皮を剥ぐ。
（ｅ）表皮を剥いだ枝を細片化する。
（ｆ）上記の細片化した枝と水を混合する。
【発明の効果】
【００１６】
＜構成１の効果＞
従来は廃棄処分をしていた剪定した枝から、栄養価の高い樹液を抽出することができる。
＜構成２の効果＞
木の枝の皮を剥いで水等に浸けなければ樹液は出てこない。葡萄の樹液を木の枝の中に溜まった状態で保存すれば、長期保存が可能で、樹液の出荷予定に合わせて新鮮な樹液を抽出できる。
＜構成３の効果＞
枝片を蒸気で殺菌消毒するとともに、枝片の組織を柔らかくして樹枝を抽出し易くできる。
＜構成４の効果＞
樹液を抽出する処理と加熱殺菌処理とを同時に進行させることができる。
＜構成５の効果＞
殺菌した状態で抽出した樹液を外気に触れさせないで密封するので、細菌が繁殖しない。
＜構成９の効果＞
大量の樹液を一気に抽出することができる。
＜構成１０の効果＞
家畜の餌にすることにより良質の肉を得ることができる。
【図面の簡単な説明】
【００１７】
【図１】図１は葡萄の木の一部を示す外観図である。
【図２】図２は果実採取後の葡萄の木の一部を示す外観図である。
【図３】図３は枝１６の切断面を示す図である。
【図４】図４は枝１６を切断する工程の説明図である。
【図５】図５は水またはアルコールによる樹液抽出のための容器縦断面図である。
【図６】図６は蒸し器の縦断面図である。
【図７】図７は枝片２６を熱処理する別の方法を示す装置の縦断面図である。
【図８】図８は葡萄の枝１６を保管するための貯蔵庫２４の縦断面図である。
【図９】図９は樹液の出荷方法を説明する説明図である。
【図１０】図１０は実施例６の方法を示す説明図である。
【発明を実施するための形態】
【００１８】
以下、本発明の実施の形態を実施例毎に詳細に説明する。
【実施例１】
【００１９】
図１は葡萄の木の一部を示す外観図である。
葡萄の木１２は春先（３月頃）に芽吹き、芽吹いた枝１６は葉を付けて伸びていく。葡萄の枝１６には、葡萄の木１２が根から吸い上げた養分と、光合成により葉で作られた養分が送り込まれる。この枝１６に花が咲き、秋には果実１４が実る。根から吸い上げた養分と葉の光合成により作られた養分が良質な果実１４を実らせる。
【００２０】
図２は、果実採取後の葡萄の木の一部を示す外観図である。
本発明では、一本の枝１６に数房だけ果実１４を付けるようにして育成した葡萄の枝１６を、樹液採取用として選択する。果実をつけるのは、１〜３房程度の少量が好ましい。果実だけでなく、枝１６にも十分な栄養素がいきわたるからである。こうした枝が、栄養分の豊富な樹液の採取に適するからである。果実１４は７〜９月頃収穫される。果実１４を収穫した後、１２月頃の落葉時期までこのままにされる。落葉する時期に至るまで、枝１６には、根と葉から十分な養分が吸収される。落葉後にその枝１６を次年の芽吹きのために必要な部分を残して剪定する。図２に示したとおりである。その後、葡萄の木１２は、春まで冬眠期を迎える。
【００２１】
従来は、剪定された枝１６がそのまま廃棄されていた。しかしながら、果実１４を実らせるために、上記のように根から吸い上げた養分と葉で光合成により作られた養分は、枝１６全体に行き渡る。即ち、果実１４が実った頃には、果実１４だけでなく、枝１６全体が豊富な栄養素を含んだ状態になっている。その後落葉して枝が剪定されるまでは、さらに、根や葉からの養分が木の幹や枝に蓄積される。本発明では、この栄養素の詰まった枝１６から樹液１８を採取する。
【００２２】
図３は枝１６の切断面を示す図である。
剪定をして切り落とした葡萄の枝１６は、まず、汚れを落とし、害虫等を除去するために、水で十分に洗浄する。その後、葡萄の枝１６のの表皮２０を剥ぐ。図３に示すように、枝１６は芯２８の周りを保護するように数枚構成の表皮２０を有する。これをナイフ等を用いて丁寧に剥ぐ。
【００２３】
図４は、枝１６を切断する工程の説明図である。
上記のようにして表皮２０を剥いだ枝１６を、切断して５センチメートルかそれ以下の長さの枝片２６にする。直径が５ｍｍ〜１ｃｍ程度の枝の場合には、長さが１ｃｍ以上３ｃｍ以下ほどの長さに揃えるのが適当である。
【００２４】
図５は水またはアルコールによる樹液抽出のための容器縦断面図である。
実験によれば、皮を剥いだ場合と剥がない場合とでは、その後の樹液の抽出量に著しい差が生じた。葡萄の皮を剥いで短く切断をした枝片２６を、水やアルコールを満たした容器３６に浸けておくと、樹液１８が枝片２６の切断部から少しずつ染み出てくる。その後、枝片２６を除去すれば、水やアルコールにより希釈した樹液１８を得ることができる。
【００２５】
葡萄の樹液１８は、水またはエチルアルコール５０％の溶液に浸けて抽出し、そのまま飲料や美容液等に使用することができる。葡萄の樹液１８にはコラーゲンのほか、各種の滋養成分が含まれており、クリーム、化粧水、乳液、石鹸、シャンプー等に利用することができる。また、食品添加物としても利用できる。これらの製品の加工工場へ向けて、樹液１８を抽出した溶液を販売するほか、枝片２６と溶液を詰めた容器３６ごと販売をすることもできる。
【実施例２】
【００２６】
図６は蒸し器の縦断面図である。
図のように、枝片２６を蒸し器３０の中に収容して蒸す。蒸し器３０を用いて枝片２６を蒸すと、枝片２６に付着した細菌を殺すことができ、その後の枝片２６の処理や保存が容易になる。さらに、蒸す処理によって枝片２６の組織を柔らかくして、樹枝１６を枝片２６の切断部から溢れ出させることができる。
【実施例３】
【００２７】
図７は枝片２６を熱処理する別の方法を示す装置の縦断面図である。
この例では、枝片２６を鍋３２に水２２とともに収容して、コンロ３４により加熱している。これにより、枝片２６から溢れ出た樹液１８を熱で殺菌するとともに、水２２に溶け出させて、そのまま次の工程に送り出すことができる。例えば、この水２２を図示しない瓶等に詰めて、化粧品や食品工場に出荷することができる。
【００２８】
なお、図７の右側に示すように、枝片２６を例えば、ミキサー等で粉砕して樹液を早く取り出すこともできる。この場合には、水を加熱した後に、濾過装置や遠心分離機により枝の破片を取り除いて、樹液の水溶液を得る。
【実施例４】
【００２９】
図８は葡萄の枝１６を保管するための貯蔵庫２４の縦断面図である。
表皮を剥がした枝片２６を水等に浸けると樹液１８を抽出できる。しかしながら、樹液１８が外気に触れると鮮度が落ちる。枝１６を剪定するのは秋であるから、剪定後すぐに樹液１８を抽出してしまうと、翌年の夏頃の需要に応えるには樹液１８の鮮度維持が容易でない。そこで、剪定をしただけの表皮を剥がさない状態の枝１６を保管することにする。
【００３０】
害虫を除去するために十分に洗浄した枝１６を貯蔵庫２４に収容する。保存は冷暗所でよい。冷凍保存をすればさらによい。必要なときに取り出して表皮を剥いで、枝片２６に切断する。その後の処理は既に説明したとおりである。剪定した枝１６は、地面に刺しておくと翌年には根が生えて芽が出てくる。即ち、生命力のある枝１６のままであれば、内部の細胞を長期間生きたまま保存することができる。これにより、剪定から半年から１年以上経過しても、新鮮な樹液１８を抽出することができる。樹液１８の出荷予定に合わせて抽出すればよい。
【実施例５】
【００３１】
図９は樹液の出荷方法を説明する説明図である。
枝片２６には処理工程中に細菌が付着し易い。例えば、枝片２６を蒸気で蒸して水に浸けそのまま大気中に放置すると、発酵を始めるものもある。これでは樹液１８が変質してしまう。そこで、例えば、図９に示したような瓶３８に水とともに枝片２６を収容し、この状態で図６に示した蒸し器３０に収容する。
【００３２】
こうして瓶３８と水と枝片２６を蒸気で加熱し、殺菌をして枝片２６が抽出され易い状態にしてから、冷える前に蓋をして密封する。樹液１８を外気に触れさせないで密封すれば、細菌による変質を防止できる。また、枝片２６をアルコールで洗浄して消毒し、その後加熱してアルコールを除去して水に浸けるといった方法で、さらに完全な殺菌処理ができる。なお、確実に殺菌処理ができれば、枝片２６をミキサー等で粉砕して樹液１８を抽出し、その後濾過をして水に溶けた樹液１８を得るという方法も可能である。
【００３３】
ところで、枝片２６を容器３６中の水２２に浸けておくと、時間の経過とともに枝片２６の切断端から樹液１８が染み出してくる。この樹液１８には、図に示すように、微小な気泡４０が沢山混入している。これらの気泡４０は、放置すると次第に繋がって大きくなる。容器３６の蓋を明けて放置すると気泡４０は順次次第に消滅する。
【００３４】
従って、微小な気泡４０が沢山混入している樹液１８ほど新鮮だということがわかる。
即ち、容器３６に枝片２６を収容したまま容器３６を密封して販売すれば、新鮮な樹液１８をユーザに届けることができる。しかも、気泡４０の状態を見れば、新鮮なものかどうかも判別できる。
【００３５】
以上の方法によれば、下記の効果が得られる。
（１）樹液１８の採取時期を葡萄の実を採取した後に変更したので、葡萄の実の成長に影響を及ぼさない。
（２）葡萄の実を成熟させるための豊富な栄養分を含む樹液１８を採取できる。
（３）剪定をして廃棄されてしまう葡萄の枝１６を有効利用するので、廃棄物が減少し廃棄物処理のコストも低減できる。
（４）来期に葡萄の実を実らせる枝１６を傷つけることもない。
（５）剪定した葡萄の枝１６を保存して、必要なときに樹液１８を抽出すれば、長い期間にわたって鮮度の良い樹液１８を市場に送り出すことができる。
【実施例６】
【００３６】
図１０は、実施例６の方法を示す説明図である。
上記の実施例では、保存性を考慮して、葡萄の木１２の枝片２６を使用する例を中心に説明した。この実施例では、大量の枝から一気に上記の樹液を抽出する方法を説明する。図１０に示すように、まず、表皮を剥がした枝１６を、蒸気等で十分に殺菌消毒する。その後、適当な長さに切断した枝片２６をミキサー４２に投入する。このミキサー４２で、枝片２６を細片になるまで粉砕する。このとき、貯水タンク４４から清浄な水を供給して混合する。水の代わりにアルコールを供給してもよい。
【００３７】
ミキサー４２から濾過装置４６に移して濾過をすると、水またはアルコールに溶け出した樹液と上記の細片化した枝を分離して、製品容器４８に取り出すことができる。この方法により、大量の樹液を抽出することができる。製品容器４８を滅菌雰囲気中に保管してから、加工工程や瓶詰め工程に送る。また、表皮を剥いだ枝をミキサー４２で細片になるまで粉砕して水と混合したものは、木の繊維質と葡萄の樹液の混合物である。これは、そのまま牛や豚等の家畜の餌に使用することができる。この餌にはコラーゲンが多量に含まれている。従って、この餌を与えた家畜からは、コラーゲンの豊富な上質な食肉を得ることができる。
【符号の説明】
【００３８】
１２  葡萄の木
１４  果実
１６  枝
１８  樹液
２０  表皮
２２  水
２４  貯蔵庫
２６  枝片
２８  芯
３０  蒸し器
３２  鍋
３４  コンロ
３６  容器
３８  瓶
４０  気泡
４２  ミキサー
４４  貯水タンク
４６  濾過装置
４８  製品容器
【図１】
2014198042.tif 000002
【図２】
2014198042.tif 000003
【図３】
2014198042.tif 000004
【図４】
2014198042.tif 000005
【図５】
2014198042.tif 000006
【図６】
2014198042.tif 000007
【図７】
2014198042.tif 000008
【図８】
2014198042.tif 000009
【図９】
2014198042.tif 000010
【図１０】
2014198042.tif 000011